(57)【特許請求の範囲】
【請求項１】
音声データに基づくテキストデータをファクシミリ又は電子メールの何れかで送信することを可能としたファクシミリ装置であって、
ファクシミリの送信機能を有する親機部と、ファクシミリ及び電子メールの宛先情報を蓄積した宛先情報蓄積部と、入力した宛先情報と前記宛先情報蓄積部に蓄積した宛先情報との一致により送信宛先を認識する宛先識別部と、音声データを入力する音声入力部と、入力した音声データをテキストデータに変換するデータ変換部と、前記宛先識別部で認識した送信宛先に応じた前記テキストデータを含む送信データを作成する送信データ作成部と、前記送信データを電子メールで送信する電子メール制御部と、ファクシミリで送信する前記送信データのみを親機部に転送するデータ送信部とを備える子機部と、を有し、前記送信データ作成部で作成した送信データをファクシミリ又は電子メールで自動送信することを特徴とするファクシミリ装置。
【請求項２】
音声データ又はそのテキストデータをファクシミリ又は電子メールの何れかで送信することを可能としたファクシミリ装置であって、
ファクシミリの送信機能を有する親機部と、ファクシミリ及び電子メールの宛先情報を蓄積した宛先情報蓄積部と、入力した宛先情報と前記宛先情報蓄積部に蓄積した宛先情報との一致により送信宛先を認識する宛先識別部と、送信宛先別にテキスト文字を登録した付加情報登録部と、送信宛先に応じて前記付加情報登録部からテキスト文字を認識する付加情報認識部と、音声データを入力する音声入力部と、音声データをテキストデータに変換するデータ変換部と、前記宛先識別部で認識した送信宛先に応じた前記テキストデータを含み前記付加情報認識部で認識したテキスト文字を付加した送信データを作成する送信データ編集部と、前記送信データを電子メールで送信する電子メール制御部と、ファクシミリで送信する前記送信データのみを親機部に転送するデータ送信部とを備える子機部と、を有し、前記送信データ編集部で作成した送信データをファクシミリ又は電子メールで自動送信することを特徴とするファクシミリ装置。
【請求項３】
前記付加情報登録部には、電子メールの宛先情報に対して送信宛先別に前記音声データ、前記音声データのテキストデータ又は両方のうち何れかのデータの送信を指定する指定情報が登録されており、前記送信データ編集部は、当該指定情報に基づいて前記何れかのデータを含む送信データを作成することを特徴とする請求項２記載のファクシミリ装置。
【発明の詳細な説明】
【０００１】
【発明が属する技術分野】
本発明は、ファクシミリ及び電子メール通信に関し、特に、音声データをファクシミリ及び電子メールにより送信可能とするファクシミリ装置に関する。
【０００２】
【従来の技術】
音声データをテキストデータに変換して送信する機能を有する電話端末装置の一例が特開平２０００−２１６９１０号公報に記載されている。この公報に記載された電話端末装置は、通話内容に関連して相手側に対してファクシミリ送信を行う場合、相手側が話した内容を自分で記録し、また相手側のファクシミリ番号を別途調べて送信時に入力する必要もない電子端末装置に関するものである。
【０００３】
図６は、前記公報記載の電話端末装置の構成を示す図である。この電話端末装置の機能は次のとおりである。発着呼すると電話制御部１ａは相手先との通話を確立し、通話中、音声認識部３ａは通話内容を認識し、テキストデータ変換部４ａは音声をテキストデータに変換する。また、相手先識別部ａ２は相手先の電話番号等を取得し、ＦＡＸ番号取得部５ａでは別途記憶されたデータ記憶部６ａにより電話番号等からＦＡＸ番号を取得する。次に、ＦＡＸ作成部７ａは取得したＦＡＸ番号と通話内容のテキストデータとによりＦＡＸデータを作成し、表示部８ａに表示してテキスト編集部９ａで編集し、作成したＦＡＸデータをＦＡＸ送信部１０ａにより送信する。
【０００４】
また図７は、同公報記載の他の電話端末装置の構成を示す図である。図６に示す電話端末装置と同様であるが、ＦＡＸデータの送信に代えて電子メールを送信するように、データ記憶部６ｂ、電子メールアドレス取得部５ｂ、電子メール作成部７ｂ及び電子メール送信部１０ｂを設け、通話相手先の電子メールアドレスを取得して電子メールデータを作成して送信するものである。
【０００５】
【発明が解決しようとする課題】
従来、通信回線を介して送信するテキストデータを音声により入力して作成することが知られているが、送信形態に応じて簡易に送信データを作成して所望のデータ形式で自動送信するような送信装置はなかった。
前述の２つの電話端末装置は、入力した音声データをテキストデータとして送信する機能を有するものの、何れも通話内容に関連するテキストデータを相手側にファクシミリ又は電子メールで送信するものである。特に、何れの電話端末装置も電話番号に対するＦＡＸ番号又は電話番号に対する電子メールアドレスを記憶したデータ記憶部を使用して、電話番号から宛先情報を取得してそれぞれＦＡＸ又は電子メールの何れかを送信するものに関するものであり、それぞれＦＡＸ又は電子メールを送信するための独立した装置に関するものであるから、ＦＡＸと電子メールの何れかで所望の相手先に対する送信データを自己の音声入力により自動的に送信することができるものではなく、また入力した音声データをファクシミリ又は電子メールに応じてデータ形式を自動的に選択し送信することが可能なものではない。
【０００６】
（目的）
本発明の目的は、以上の問題点を解決するものであり、音声入力したデータを宛先に応じてファクシミリ又は電子メールで自動的に送信することを可能とするファクシミリ装置を提供することにある。
【０００７】
本発明の目的は、音声入力したデータを相手先の受信機器や受信者に応じた相応しい受信データの形式に合わせてファクシミリ又は電子メールで自動送信することを可能とするファクシミリ装置を提供することにある。
【０００８】
本発明の目的は、送信宛先に応じて音声データを音声データのまま又はテキストデータに変換して、電子メール等で送信することが可能な音声テキスト変換機能を搭載したファクシミリ装置を提供することにある。
【０００９】
本発明の目的は、送信宛先に応じて登録したテキスト文字を音声データ又はそのテキストデータに付加して、ファクシミリ又は電子メールで送信することが可能なデータ編集機能を搭載したファクシミリ装置を提供することにある。
【００１０】
【課題を解決するための手段】
本発明のファクシミリ装置は、音声データに基づくテキストデータをファクシミリ又は電子メールの何れかで送信することを可能としたファクシミリ装置であって、ファクシミリ及び電子メールの宛先情報を蓄積した宛先情報蓄積部と、入力した宛先情報と前記宛先情報蓄積部に蓄積した宛先情報との一致により送信宛先を認識する宛先識別部と、音声データを入力する音声入力部と、入力した音声データをテキストデータに変換するデータ変換部と、前記宛先識別部で認識した送信宛先に応じた前記テキストデータを含む送信データを作成する送信データ作成部と、を備え、前記送信データ作成部で作成したファクシミリ装置は、送信データをファクシミリ又は電子メールで自動送信することを特徴とする。
【００１１】
また、前記ファクシミリ装置は、ファクシミリの送信機能を有する親機部と、前記宛先情報蓄積部、宛先識別部、音声入力部、データ変換部及び送信データ作成部と、前記送信データを電子メールで送信する電子メール制御部と、ファクシミリで送信する前記送信データのみを親機部に転送するデータ送信部とを備える子機部とを有することを特徴とする。
【００１２】
本発明のファクシミリ装置は、音声データ又はそのテキストデータをファクシミリ又は電子メールの何れかで送信することを可能としたファクシミリ装置であって、ファクシミリ及び電子メールの宛先情報を蓄積した宛先情報蓄積部と、入力した宛先情報と前記宛先情報蓄積部に蓄積した宛先情報との一致により送信宛先を認識する宛先識別部と、送信宛先別にテキスト文字を登録した付加情報登録部と、送信宛先に応じて前記付加情報登録部からテキスト文字を認識する付加情報認識部と、音声データをテキストデータに変換するデータ変換部と、前記宛先識別部で認識した送信宛先に応じた前記テキストデータを含み前記付加情報認識部で認識したテキスト文字を付加した送信データを作成する送信データ編集部と、を備え、前記送信データ作成部で作成した送信データをファクシミリ又は電子メールで自動送信することを特徴とする。
【００１３】
前記付加情報登録部には、電子メールの宛先情報に対して送信宛先別に前記音声データ、前記音声データのテキストデータ又は両方のうち何れかのデータの送信を指定する指定情報が登録されており、前記送信データ編集部は、当該指定情報に基づいて前記何れかのデータを含む送信データを作成することを特徴とする。
【００１４】
また、前記ファクシミリ装置は、ファクシミリの送信機能を有する親機部と、前記宛先情報蓄積部、宛先識別部、付加情報認識部、音声入力部、データ変換部及び送信データ編集部と、前記送信データを電子メールで送信する電子メール制御部と、ファクシミリで送信する前記送信データのみを親機部に転送するデータ送信部とを備える子機部と、を有することを特徴とする。
【００１５】
【発明の実施の形態】
（構成の説明）
以下、本発明のファクシミリ装置の第１の実施の形態について、図面を参照して詳細に説明する。
【００１６】
図１は、本実施の形態のファクシミリ装置の構成を示す図である。同図を参照すると、本ファクシミリ装置は親機部２と子機部１とからなり、子機部１は、プログラム制御により動作する子機制御部３、親機部２とのインターフェースを構成し親機部２へファクシミリの送信データの送信を行うデータ送信部４、ファクシミリ番号、電子メール（以下「Ｅメール」という。）アドレス等を宛先情報（宛先データ）として入力する操作部５、音声情報を入力する音声入力部６、テキストデータを含む各種の情報を表示する表示部７、Ｅメールの送受信の制御を行うＥメール制御部８、入力した音声データを蓄積する音声データ蓄積部９、音声データ蓄積部９の音声データを適宜、テキストデータ（文書）に変換するデータ変換部１０、ファクシミリ番号、Ｅメールアドレスを予め蓄積しておく宛先情報蓄積部１２、操作部５から入力された宛先情報が宛先情報蓄積部１２に蓄積されているか否か及び当該宛先情報がファクシミリ番号かＥメールアドレスかを識別する宛先識別部１１、宛先識別部１１で識別した宛先と音声データ又はそのテキストデータを含むファクシミリの送信データ又はＥメールの送信データを作成する送信データ作成部１３と、を備える。
【００１７】
また、親機部２は、子機部１及び親機部２の制御を行う親子機間制御部１４、ファクシミリ装置としての通信制御を行う通信制御部１５、子機部１からのファクシミリの送信データの受信及びファクシミリ送信を制御するデータ送受信部１６、ファクシミリ装置として電話回線とのインターフェースを構成するモデム１７を備えるとともに、その他、子機部１と同様な操作部、音声入力部、表示部など、図示しない機能部を備える。本実施の形態における主要な機能の概要は以下のとおりである。
【００１８】
親機部２の親子機間制御部１４は、子機部１と親機部２の間の通信及びファクシミリ通信等のための各種制御を行い、通信制御部１５は電話回線に対しモデム１７を介してバイナリコード等のファクシミリ通信手順を行う制御機能、及びデータ送受信１６を介する子機部１のデータ送信部４から転送されるファクシミリの送信データの受信、等の制御機能を有する。
【００１９】
子機部１の子機制御部３は、子機部１の各部の制御機能として、操作部５、音声入力部６からの入力データの処理、変換等の制御機能、親機部２からの各種の制御によるファクシミリ装置の子機としての処理機能、ファクシミリ送信又はＥメール送信時の送信情報に対する制御機能、表示部７による表示機能、Ｅメール制御部８によるＥメールの送受信機能、等の全体の制御機能を有する。
【００２０】
宛先情報蓄積部１２は、音声情報を音声データ又はそのテキストデータとして送信する宛先情報として、ファクシミリ番号及びＥメールアドレスを予め蓄積する機能を有する。つまり、送信先の音声データの受信、利用機能の有無、送信先の機器が備える機能や送信先が希望する受信形態等に応じて、例えばＡさんはファクシミリ送信、ＢさんはＥメール送信等、ユーザによる判断により予め送信先別にファクシミリ番号又はＥメールアドレスを操作部５等から入力して蓄積できる機能を有する。
【００２１】
宛先識別部１１は、操作部５から入力された宛先情報について宛先情報蓄積部１２を参照して同一宛先情報の存在の確認を行い、本発明の送信データの送信宛先として特定する機能を有する。データ変換部１０は、宛先識別部１１及び宛先情報蓄積部１２により入力された宛先情報が登録済みであることを認識すると、当該宛先用に入力され音声データ蓄積部９に蓄積された音声データを送信する際に、当該音声データを読み出してテキストデータに変換する機能を有する。
【００２２】
送信データ作成部１３は、宛先識別部１１で識別した送信宛先のファクシミリ又はＥメールに音声データのテキストデータを含めた送信データを作成し、ファクシミリの送信データの場合はデータ送信部４に、Ｅメールの送信データの場合はＥメール制御部８にそれぞれ転送する機能を有する。
【００２３】
以上の構成により、例えば本実施の形態の代表的機能として、送信先の機能に応じて、例えば、子機部１の音声データ蓄積部９に入力された音声データをデータ変換部１０によってテキスト変換し、Ｅメール送信なら子機部１のＥメール制御部８から相手先へ自動送信し、ファクシミリ送信ならデータ送信部４、データ送受信部１６、通信制御部１５、モデム１７により相手先へ自動送信する機能を有する。
【００２４】
（動作の説明）
次に、本実施の形態の動作について図面を参照して詳細に説明する。
図２は、本実施の形態のフローチャートを示す図である。最初に子機部１の音声入力部６から音声が入力されると、この音声データは音声データ蓄積部９に蓄積される（Ａ１）。その後、操作部５によりＥメールアドレス又はファクシミリ番号等の宛先情報が入力される（Ａ２）。ここで宛先情報蓄積部１２にはユーザにより子機部１の操作部５等から送信先の機器に応じて、予めファクシミリ番号やＥメールアドレスが登録されているものとする。宛先情報が入力されると宛先情報識別部１１は、入力された宛先情報について、宛先情報蓄積部１２に蓄積されている宛先情報と照合し、同一の宛先情報が存在するか否かを確認する（Ａ３）。
【００２５】
入力された宛先情報がＥメールアドレスであり、これと一致するＥメールアドレスが宛先情報蓄積部１２に蓄積されている場合は（Ａ４）、データ変換部１０は前記音声データをテキストデータに変換するテキスト変換を行い（Ａ９）、送信データ作成部１３は当該Ｅメールアドレスを宛先とする前記テキストデータを含む（本文としてテキストデータを含む又はテキストデータを添付ファイルとして含む）送信データを作成してＥメール制御部８に転送し、Ｅメール制御部８は前記送信データを送信して処理を終了する（Ａ１０）。
【００２６】
また入力された宛先情報がファクシミリ番号であり、これと一致するファクシミリ番号が宛先情報蓄積部１２に蓄積されている場合は（Ａ５）、データ変換部１０は前記音声データをテキスト変換を行い（Ａ６）、送信データ作成部１３は変換されたテキストデータを含むファクシミリの送信データを作成してデータ送信部４に転送し、データ送信部４は前記送信データを親機部２のデータ送受信部１６に転送し（Ａ７）、親機部２の通信制御部１５は前記ファクシミリ番号宛に回線を接続して、前記送信データをデータ送受信部１６からファクシミリ番号宛に送信して処理を終了する（Ａ８）。
【００２７】
なお、ステップＡ５において、ユーザより入力された宛先情報が宛先情報蓄積部１２の宛先情報と一致しなかった場合は（Ａ４、Ａ５）、この宛先はファクシミリ送信やＥメール送信を行う宛先ではないか、又はファクシミリ送信やＥメール送信を行う宛先であったとしても音声データのテキストデータ等を含めて送信する宛先ではないので直ちに処理を終了する。
【００２８】
以上説明したように図１、２に示す第１の実施の形態では、送信時に音声データをテキストデータに変換し、且つ宛先に応じた送信方式（ファクシミリ又はＥメール）により前記テキストデータを自動送信することを可能とするものであるが、送信方式に応じて音声データをそのまま送信したり、送信する音声データ又はそのテキストデータに関連して、タイトル等のテキスト文字等を付加する編集機能を付け加えることによって送信信号を多様化させることが可能である。
【００２９】
（第２の実施の形態）
音声データやそのテキストデータに対し、タイトル等のテキスト文字を付加する等の編集機能を設けた本発明の第２の実施の形態について図面を参照して詳細に説明する。
（構成の説明）
図３は、本発明の第２の実施の形態の構成を示す図である。同図を参照すると、本実施の形態は第１の実施の形態と比較して、送信データ作成部１３に代えて送信データ編集部１８を備えるとともに、付加情報登録部１９及び付加情報認識部２０を有する点で異なる。図１に示す符号と同じ符号箇所は第１の実施の形態と同じ機能を有するので説明を省略する。
【００３０】
付加情報登録部１９は、宛先情報蓄積部１２に蓄積されている宛先情報のうち、特定宛先を予め選定して当該宛先のファクシミリ番号又はＥメールアドレスと、当該ファクシミリ番号又はファクシミリ番号に対して送信する音声データのテキストデータ及び当該テキストデータに付加するテキスト文字（タイトル等）等の情報、及び同様に特定のＥメールアドレスと、当該Ｅメールアドレスに対して送信する音声データのテキストデータ及び当該テキストデータに付加するテキスト文字等、送信情報を登録する機能を有する。
【００３１】
図４は、本実施の形態の付加情報登録部１９における登録情報の一例を示す図である。宛先情報別の文字列でなるタイトル文字、音声データの添付の有無、音声データをテキスト変換したテキストデータの添付の有無等、送信情報が登録されている。本例ではファクシミリの場合は、テキスト文字は宛先情報毎に設定され、テキストデータは全て含むように設定され、Ｅメールの場合は、テキスト文字は宛先情報毎に設定され、音声データ及びそのテキストデータは宛先情報毎に含む（テキストデータは本文として又は添付ファイルとして含む）ものとして設定されている。
【００３２】
付加情報認識部２０は、ファクシミリ番号又はＥメールアドレスをキーとして、当該ファクシミリ送信又はＥメール送信における前記送信情報を付加情報登録部１９から確認又は読みとる機能を有する。
送信データ編集部１８は、宛先識別部１１で識別した送信宛先のファクシミリ又はＥメールの送信データであって、付加情報認識部２０で確認又は読み取った送信情報に基づいて音声データ又はそのテキストデータを含め、更にテキスト文字を付加、編集した送信データを作成して、ファクシミリの送信データの場合はデータ送信部４に、Ｅメールの送信データの場合はＥメール制御部８にそれぞれ転送する機能を有する。
【００３３】
（動作の説明）
図５は、第２の実施の形態のフローチャートを示す図である。同図により具体的な動作説明をする。
ユーザによる子機部１の音声入力部６からの音声入力により音声データ蓄積部９へ音声データが入力され（Ｂ１）、操作部８の操作により宛先情報が入力される（Ｂ２）。宛先情報識別部１１は、入力された宛先情報により、予め宛先情報が蓄積されている宛先情報蓄積部１２の宛先情報と照合してその宛先を識別する（Ｂ３）。入力された宛先が宛先情報蓄積部１２の宛先情報と一致し、その宛先情報がＥメールアドレスの場合（Ｂ４）、付加情報認識部１９は付加情報登録部１９を参照し（Ｂ１５）、当該Ｅメールアドレスへ送信するＥメールに付加するタイトル（題名）等のテキスト文字が登録されているか否かを調べ（Ｂ１５）、付加するテキスト文字が登録されている場合は（Ｂ１６）、登録済みのテキスト文字を読み出し表示部７に自動的に表示する（Ｂ１９）。次に、付加情報登録部１９に当該Ｅメールアドレスへ送信するＥメールに音声データを添付するか否かを調べ、音声データ添付のみであれば（Ｂ２０）、送信データ編集部１８は音声データ蓄積部９に蓄積されている音声データを添付したＥメールにテキスト文字を付加、編集した送信データを作成し、Ｅメール制御部８に転送し、Ｅメール制御部８は当該送信データを宛先に送信する（Ｂ２１）。
【００３４】
ステップＢ２０で音声データ添付のみでない場合、データ変換部１０は音声データ蓄積部９に蓄積されている音声データをテキスト変換し、更に音声添付か否かを判別し、音声添付の場合（Ｂ２３）、送信データ編集部１８は音声データ蓄積部９に蓄積されている音声データと該音声データをテキスト変換したデータを本文として又は添付ファイルとして添付したＥメールにテキスト文字を付加、編集した送信データを作成して、Ｅメール制御部８に転送し、Ｅメール制御部８は当該送信データを宛先に送信する（Ｂ２４）。また、ステップＢ２３で音声添付でない場合、送信データ編集部１８は音声データ蓄積部９に蓄積されている音声データをテキスト変換したデータを同様に添付したＥメールにテキスト文字を付加、編集した送信データを作成して、Ｅメール制御部８に転送し、Ｅメール制御部８は該送信データを宛先に送信する（Ｂ２５）。
【００３５】
また、ステップＢ１６で、付加情報登録部１９に宛先情報に対応してテキスト文字が登録されていなければ、音声データをテキスト変換し（Ｂ１７）、送信データ編集部１８はテキストデータ付きのＥメールからなる送信データを作成してＥメール制御部８に転送し、Ｅメール制御部８は当該送信データを宛先に送信する（Ｂ１８）。
【００３６】
また、ステップＢ４において、入力された宛先情報がＥメールアドレスではなく、ファクシミリ番号である場合は（Ｂ５）、付加情報登録部１９を参照する（Ｂ６）。付加情報登録部１９に当該ファクシミリ番号についてテキスト文字が登録されていた場合（Ｂ７）、当該テキスト文字を表示部に自動的に表示し（Ｂ８）、データ変換部１０は音声データをテキストデータに変換し（Ｂ９）、送信データ編集部１８はテキストデータにテキスト文字を付加、編集した送信データを作成して、データ送信部４を介して親機部２のデータ送受信部１６に転送し（Ｂ１０）、親機部２からテキスト文字が付加されたテキストデータからなる送信データをファクシミリ送信する（Ｂ１１）。
【００３７】
更に、ステップＢ７において、テキスト文字が登録されていない場合は、音声データをテキストデータに変換し（Ｂ１２）、送信データ編集部１８はテキストデータ付きの送信データを作成して、同様にデータ送信部４を介して親機部２のデータ送受信部１６に転送し（Ｂ１３）、親機部２からテキストデータのみの送信データをファクシミリ送信する（Ｂ１４）。なお、ステップＢ５で入力された宛先情報がファクシミリ番号でもなかった場合は、処理を終了する。
【００３８】
（他の実施の形態）
以上説明した実施の形態では、子機部１においてＥメール送受信機能を有し、Ｅメールを子機部より直接送信する例を説明したが、Ｅメールの送信及び受信機能を親機部にも設け、子機部の操作に代えて親機部の操作により親機部でも前記実施の形態の動作を実施可能とするように構成することができる。更に、前述のようなファクシミリ送信の場合と同様に、Ｅメールは子機部から直接送信する代わりに子機部から親機部に必要なＥメール送信の情報を一旦転送した後、親機部からＥメールを送信するように構成することが可能である。
【００３９】
更に、本発明はファクシミリ装置として、前述のＥメールを受信する機能を備えるように構成し、受信データに基づき表示部にＥメールデータを表示し、受信したＥメールの音声データの添付ファイルを開いて図示しない音声出力部から音声として出力するように構成することができる。
【００４０】
また、以上の実施の形態では付加情報登録部を宛先情報蓄積部とは独立した構成としているが、付加情報は宛先情報毎に設定するものであるから、宛先情報蓄積部に付加情報をも登録することにより、同一の登録部として適宜参照するように構成することが可能である。
【００４１】
更に、以上の実施の形態において、送信データ作成部又は送信データ編集部で作成した送信データに対してユーザによるデータ編集を可能としテキストデータ等の編集機能を備えるように構成すると好適である。
【００４２】
本発明の受信側の機器としては、本実施の形態の構成を有するファクシミリ装置に限られるものではなく、以上述べたところから明らかなように、Ｅメールの受信機能の有無に拘わらず通常のファクシミリ装置でよいのみならず、Ｅメール機能を有する電話機や携帯電話機、パーソナルコンピュータ等とすることができることは云うまでもない。
【００４３】
【発明の効果】
本発明によれば、音声入力したデータを宛先に応じてファクシミリ又は電子メールで自動的に送信することを可能とする。特に、入力した宛先情報と予め蓄積した宛先情報とが一致した場合のみ、入力音声をテキストデータとして、また、その宛先にファクシミリ又は電子メールとして自動的に送信データが送信されることから、予め宛先情報蓄積部に個人データ等として登録した宛先にのみファクシミリ又は電子メールを自動的に簡易に情報を送信することが可能である。また、テキストデータの作成にはテンキー等を押下しなくても音声を入力しただけで、送信したい内容をテキスト文書として送信できるから、高齢者等でもファクシミリ又は電子メールの利用を可能とする。
【００４４】
本発明によれば、宛先別にタイトル等のテキスト文字の登録、音声データ及びテキストデータの付加等を登録することにより、送信データに含ませる情報を予め設定することができ、宛先に応じた相応しい内容のファクシミリ又はＥメールを自動的に作成、編集することができるから、利便性の高い通信手段を実現することが可能である。
【００４５】
また、子機部側に送信データの作成、編集機能を設けることにより、子機部からの操作を可能とすることができ、場所もとらずにいかなる場所からでも入力でき情報を送信することができる。
【図面の簡単な説明】
【図１】  本発明の第１の実施の形態を示す図である。
【図２】  第１の実施の形態の動作を示すフローチャートである。
【図３】  本発明の第２の実施の形態を示す図である。
【図４】  付加情報登録部の登録情報を示す図である。
【図５】  第２の実施の形態の動作を示すフローチャートである。
【図６】  従来の電話端末装置を示す図である。
【図７】  従来の他の電話端末装置を示す図である。
【符号の説明】
３  子機制御部
４  データ送信部
５  操作部
６  音声入力部
７  表示部
８  Ｅメール制御部
９  音声データ蓄積部
１０  データ変換部
１１  宛先識別部
１２  宛先情報蓄積部
１３  送信データ作成部
１４  親子機間制御部
１５  通信制御部
１６  データ送受信部
１７  モデム
１８  送信データ編集部
１９  付加情報登録部
２０  付加情報認識部
【図１】
0003686879.tif 000002
【図２】
0003686879.tif 000003
【図３】
0003686879.tif 000004
【図４】
0003686879.tif 000005
【図５】
0003686879.tif 000006
【図６】
0003686879.tif 000007
【図７】
0003686879.tif 000008